(57)【特許請求の範囲】
【請求項１】
パチンコ玉を整列させる整列機能部・副ホイール・主ホイール・パチンコ玉を揚上させる揚上機能部が上流側から下流側に順次設置されて構成されるパチンコ玉揚上装置であって、前記整列機能部は、パチンコ玉が１個ずつ自重で転走するパチンコ玉通路を形成し、前記副ホイールは、外周部に歯車状にパチンコ玉受け取り用の円弧状の凹部を形成した軟質部材製の玉受け部材がパチンコ玉の直径未満の間隔を存して配置され、前記主ホイールは、パチンコ玉受け取り用の円弧状の凹部を外周部に歯車状に形成して上方から前記副ホイールに臨み、且つ前記副ホイールが搬送するパチンコ玉を前記凹部が受け取る配置で前記副ホイールの凹部と前記主ホイールの凹部が対峙して回転するように同期し、前記揚上機能部は、前記主ホイールの上昇回転中の前記円弧状凹部からパチンコ玉を受け取ることができるように、上昇回転側の前記円弧状凹部にそのパチンコ玉の通路を対峙させて設置されたことを特徴とするパチンコ玉揚上装置。
【請求項２】
前記整列機能部は、下流側程起立量が大きくなるようにパチンコ玉１個分の間隔を有して列設された整列ガイドの間に前記パチンコ玉通路が形成され、前記パチンコ玉通路の底面との離間距離が最小時でもパチンコ玉１個分より離間し、最大時でもパチンコ玉２段重ね分より接近するように前記パチンコ玉通路の上方に設置されて、前記パチンコ玉通路を転走するパチンコ玉の流れ方向と逆方向に電動モータの回転駆動力によって回転してパチンコ玉通路に重なり合って進入してきたパチンコ玉のうち上側に載ったパチンコ玉を上流側に送り返す作用の角ホイールと、からなることを特徴とする請求項１に記載のパチンコ玉揚上装置。
【発明の詳細な説明】
【０００１】
【発明の属する技術分野】
本発明は、パチンコ島の内部に設置され、下方の玉貯溜部から上方の玉ホッパにパチンコ玉を揚上する装置に関するものである。
【０００２】
【従来の技術】
従来、この種の装置としては、例えば図６に示したように、円周部に複数の凹部７１を備えた金属製の堅固なホイール７２を鉛直面内で回転可能に水平に設置し、凹部７１に入っているパチンコ玉９９にホイール７２の回転により上昇力を付与して、立設した揚上機能部３３の中空の通路３５内に下方から進入させ、順次進入してくるパチンコ玉９９によって通路３５内にあるパチンコ玉９９に押し上げ力を作用させ、パチンコ島の下部に設置した玉貯溜部から上部に設置した玉ホッパにパチンコ玉９９を順次揚上させる構成の装置が周知である。
【０００３】
このパチンコ玉揚上装置においては、円周方向に隣接する凹部７１同士の間に形成される山部７３と、玉貯溜部から延設する案内部材７４との間にパチンコ玉９９を咬み込むと、ホイール７２の回転が止まって装置が機能しなくなるので、強い応力が作用すると案内部材７４の一部が下側に逃げる構造、例えば板ばね７５を所要部に設置して形成し、パチンコ玉９９を介して板ばね７５にホイール７２の側から強い圧縮応力が作用すると、板ばね７５の自由端側が後退（降下）し、この板ばね７５が降下している間にホイール７２が回転して、山部７３と板ばね７５との間に入り込んだパチンコ玉９９を次に回ってくる凹部７１によって受け止め、山部７３と板ばね７５との間にパチンコ玉９９が入り込んでも、これを強く咬み込んでホイール７２が回転停止に至らないように工夫している。
【０００４】
【発明が解決しようとする課題】
しかし、上記構成のパチンコ玉揚上装置においては、パチンコ玉が１個だけ単独で供給されるような場合には、ホイールの山部と案内部材との間にパチンコ玉が入り込んでも、案内部材が撓み、パチンコ玉の強い咬み込みが回避されてホイールの回転停止が防止され、その後案内部材が元の状態に復帰すると云った正常な機能を発揮するが、実際には撓んだ状態の案内部材の上にパチンコ玉が次々と供給されてくるので、遂には山部と案内部材との間にパチンコ玉を完全に咬み込んでしまい、ホイールの回転が止まると云った問題点があり、この点の解決が課題となっていた。
【０００５】
【課題を解決するための手段】
上記目的を達成すべく本発明は、パチンコ玉を整列させる整列機能部・副ホイール・主ホイール・パチンコ玉を揚上させる揚上機能部が上流側から下流側に順次設置されて構成されるパチンコ玉揚上装置において、
【０００６】
前記整列機能部は、パチンコ玉が１個ずつ自重で転走するパチンコ玉通路を形成し、前記副ホイールは、外周部に歯車状にパチンコ玉受け取り用の円弧状の凹部を形成した軟質部材製の玉受け部材がパチンコ玉の直径未満の間隔を存して配置され、前記主ホイールは、パチンコ玉受け取り用の円弧状の凹部を外周部に歯車状に形成して上方から前記副ホイールに臨み、且つ前記副ホイールが搬送するパチンコ玉を前記凹部が受け取る配置で前記副ホイールの凹部と前記主ホイールの凹部が対峙して回転するように同期し、前記揚上機能部は、前記主ホイールの上昇回転中の前記円弧状凹部からパチンコ玉を受け取ることができるように、上昇回転側の前記円弧状凹部にそのパチンコ玉の通路を対峙させて設置された第１の構成と、
【０００７】
前記第1の構成において、前記整列機能部は、下流側程起立量が大きくなるようにパチンコ玉１個分の間隔を有して列設された整列ガイドの間に前記パチンコ玉通路が形成され、前記パチンコ玉通路の底面との離間距離が最小時でもパチンコ玉１個分より離間し、最大時でもパチンコ玉２段重ね分より接近するように前記パチンコ玉通路の上方に設置されて、前記パチンコ玉通路を転走するパチンコ玉の流れ方向と逆方向に電動モータの回転駆動力によって回転してパチンコ玉通路に重なり合って進入してきたパチンコ玉のうち上側に載ったパチンコ玉を上流側に送り返す作用の角ホイールと、からなる第２の構成とを提供するものである。
【００１０】
【発明の実施の形態】
本発明の一実施形態を、図面に基づいて説明する。本発明のパチンコ玉揚上装置１００は、パチンコ島２００の下部に設置する玉貯溜部２０１に各パチンコ機２０２から外れ玉として流れ込み、自重によって転がり出たパチンコ玉９９を、上方に設置する玉ホッパ２０３に揚上させるための装置である。
【００１１】
図中１は、受入口３を介して玉貯溜部２０１よりランダムに供給されるパチンコ玉９９を整列して下流の副ホイール１３に供給する、パチンコ玉揚上装置１００の整列機能部であり、この整列機能部はパチンコ玉９９が自重で転走しながら落下できるように、玉貯溜部２０１の図示しない玉排出口に至る案内板５を、例えば傾斜角５度の下り傾斜に設けると共に、この案内板５の上方に角ホイール１１を水平に設置して形成する。
【００１２】
受入口３は、パチンコ玉９９が二段以上に重なった状態では進入できない高さ（例えば、パチンコ玉９９の直径の１．５〜１．７５程度）に形成する。また、案内板５には、玉貯溜部２０１からランダムに供給されるパチンコ玉９９を複数列、例えば８列に整列して副ホイール１３に供給できるように、下流側ほど案内板５からの起立量が大きくなる、断面が三角形の整列ガイド７を９本並列に立設する（両端の整列ガイドはケース壁などで代替することも可能）。また、この９本の整列ガイド７の上部と一体化して、抑え部材９を、パチンコ玉９９が案内板５との間を、各列とも１個づつ通過し得る程度（例えば、パチンコ玉９９の直径の１．１５〜１．３倍程度）離して設置する。
【００１３】
角ホイール１１は、例えば正方形の各コーナを面取りして丸みを持たせた形状の断面を備えて、案内板５とは最も接近してもパチンコ玉９９の直径よりは離間し（好ましくは直径の１．１５〜１．３倍程度）、最も離れてもパチンコ玉９９の直径の１．８６倍未満（好ましくは直径の１．５〜１．７５程度）となるように設け、且つ、案内板５に臨む下部側が案内板５上をパチンコ玉９９が自重で転走する方向とは逆方向に回転するように取り付ける。
【００１４】
副ホイール１３は、歯車状に円弧状の凹部１５を外周部に備えて形成する、例えば合成ゴムなど比較的容易に変形する軟質部材製の玉受け部材１９を、剛性の大きい金属製などの軸部材２１に嵌め込んで形成する。１７は、円周方向に隣接する凹部１５同士の間に介在する山部である。
【００１５】
玉受け部材１９の軸部材２１への取り付けは、パチンコ玉９９の直径の例えば０．５〜０．９倍（好ましくは０．６〜０．８５倍）程度の幅に形成する、軸部材２１の露出部２１Ａが、隣接する整列ガイド７同士で形成されるパチンコ玉通路の設置ピッチで８箇所に形成されるように固定する。なお、軸部材２１の両端側には、玉受け部材１９をそれぞれ１個固定し、中間の整列ガイド７の端部に臨む中間位置には２個づつ固定して、前記の露出部２１Ａを８箇所に形成する。
【００１６】
そして、上記のように形成する副ホイール１３は、上方の凹部１５が案内板５の受け渡し先端５ａに臨み、且つ、軸部材２１の露出部２１Ａが、隣接する整列ガイド７同士で形成されるパチンコ玉通路に臨むように水平に設置し、さらに、露出部２１Ａの両側に位置する玉受け部材１９の上部側の凹部１５によって受け止めたパチンコ玉９９を受入口３から離す方向に回転するように取り付ける。
【００１７】
露出部２１Ａの両側の凹部１５に載せて副ホイール１３が搬送するパチンコ玉９９を受け取ることができるように、主ホイール２３を副ホイール１３に臨ませて鉛直面内で回転するように水平に設置する。主ホイール２３の外周部にも歯車状に円弧状の凹部２５を形成し、さらに、この場合は軸方向に隣接する凹部２５同士を区画する隔壁２９を設ける。そして、副ホイール１３の露出部２１Ａの両側に位置する凹部１５から、この凹部２５に受け取ったパチンコ玉９９を副ホイール１３による搬送方向と同じ方向に搬送するように、主ホイール２３を回転させる。２７は、円周方向に隣接する凹部２５同士の間に介在する山部である。
【００１８】
また、主ホイール２３の凹部２５と、副ホイール１３の露出部２１Ａの両側に位置する凹部１５とが必ず対峙して回転するように、主ホイール２３と副ホイール１３とは同期して回転するように取り付ける。
【００１９】
なお、副ホイール１３から主ホイール２３に受け渡されたパチンコ玉９９が落下しないように、主ホイール２３の下方と、下方から側方に掛けて落下防止部材３１Ａ・３１Ｂを設置する。落下防止部材３１Ａは、副ホイール１３の回転に支障がないように、軸部材２１の露出部２１Ａそれぞれに個別に対応可能に薄く形成してこの部分挿設し、落下防止部材３１Ｂは、凹部２５に対峙する部位を凹ませてパチンコ玉９９の通路を確保しながら、主ホイール２３の回転軸３９の軸方向に長く形成して取り付ける。なお、落下防止部材３１Ａ・３１Ｂは、別部材に形成しても良いし、一体化して形成することも可能である。
【００２０】
落下防止部材３１Ｂの起立部と、これに対向設置する落下防止部材３１Ｃと、主ホイール２３からパチンコ玉９９を分離・揚上させるための揚上ガイド３２によって、揚上機能部３３を形成し、主ホイール２３の回転によって鉛直線方向に上昇移動しているパチンコ玉９９が進入できる位置に設置する。この揚上機能部３３は、主ホイール２３がその回転軸３９の方向に備える８列の凹部２５それぞれに対峙する８列の中空の通路３５を備えて形成し、連結する８本の上部配管３７を通って上昇するパチンコ玉９９を図示しない研磨装置で研磨し、上部の玉ホッパ２０３に揚上するように機能する。
【００２１】
また、前記した抑え部材９は、主ホイール２３に臨む側を、副ホイール１３における軸部材２１の露出部２１Ａ上を経て、主ホイール２３の凹部２５・山部２７に臨む部位まで延設する。
【００２２】
中間ギヤ４１を介して主ホイール２３と副ホイール１３と角ホイール１１とが、電動モータ４３に連動するように構成する。例えば、電動モータ４３の回転駆動力を、電動モータ４３の回転軸４５に固定したギヤ４７から中間ギヤ４１介して主ホイール２３の回転軸３９に固定したギヤ４９に伝達し、さらにギヤ４９から副ホイール１３の回転軸５１に固定したギヤ５３と、角ホイール１１の回転軸５５に固定したギヤ５７とに伝達してそれぞれが連動するように構成する。
【００２３】
上記構成になる本発明のパチンコ玉揚上装置１００においては、外れ玉としてパチンコ機２０２から玉貯溜部２０１に流入したパチンコ玉９９が受入口３から重なり合って進入してきても、角ホイール１１が１回転する間に案内板５との距離が４回も狭まる、角ホイール１１の面取りして丸みを持たせた膨出部分によって、上に載ったパチンコ玉９９が上流側に送り返されるので、パチンコ玉９９が重なり合って副ホイール１３に供給されることはない。
【００２４】
また、案内板５には、次第に起立量が大きくなる断面が三角形状の整列ガイド７を９本並設してあるので、受入口３を通って玉貯溜部２０１からランダムに供給されるパチンコ玉９９は８列にスムースに整列されて副ホイール１３側に供給される。
【００２５】
露出部２１Ａの両側に位置する凹部１５に支えるようにして受け取られ、主ホイール２３側に回転搬送され、凹部１５の回転に同期して上方から回転降下してくる主ホイール２３の凹部２５に受け取られ、続いて上昇回転に移行する凹部２５によって上昇力が付与されたパチンコ玉９９は、揚上機能部３３の通路３５を通って上部の玉ホッパ２０３に揚上される。
【００２６】
この時、重なり合って転走してきたパチンコ玉９９を角ホイール１１が上流側に送り返すなどして、整列機能部１から副ホイール１３への受け渡しのタイミングがずれ、これによりパチンコ玉９９が凹部１５の中央部に保持されるのではなく、山部１７に掛かった状態で受け渡され、主ホイール２３の山部２７との間にパチンコ玉９９が入り込んでも、副ホイール１３の円周部が比較的容易に変形する合成ゴムなどの軟質部材によって形成されているので、副ホイール１３の側にパチンコ玉９９が容易に逃げ、この間に主ホイール２３の凹部２５が回転してそれぞれの凹部の中心にパチンコ玉９９が保持されるようになるので、パチンコ玉９９を完全に咬み込んで装置の回転が停止するなどと云った不都合が起こることがない。
【００２７】
また、抑え部材９を設置してあるので、電動モータ４３の回転が停止し、揚上機能部３３にあるパチンコ玉９９の重量で主ホイール２３が逆転し、パチンコ玉９９が逆流しても、主ホイール２３と角ホイール１１との間の隙間に重なり合って溜ることがないので、角ホイール１１の所でパチンコ玉９９を咬み込むこともないし、電動モータ４３を再起動する場合にも副ホイール１３にはパチンコ玉９９が各列とも１個づつ供給されるので、副ホイール１３と主ホイール２３との間でパチンコ玉９９を咬み込むと云った不都合も起こらない。
【００２８】
なお、本発明は上記した実施の形態に限定されるものではないので、特許請求の範囲に記載の趣旨から逸脱しない範囲で各種の変形実施が可能である。
【００２９】
例えば、角ホイール１１は、膨出部を多くするほど重なって流れてくるパチンコ玉９９を平らにする機会が増えるが、ストロークが減少して送り返す効果が減少してくるので、図５に示したように隣り合った膨出部の間をＵ字状曲面で繋ぐように形成すると、重なり合ったパチンコ玉９９を平にする機会を増やしながら、ストロークを確保することができ、効果的である。
【００３０】
また、回転軸１９を取り囲むようにして副ホイール１３の内部に永久磁石５９を設置し、パチンコ玉９９が凹部１５の中心部に一層確実に保持できるように構成しても良い。
【００３１】
また、主ホイール２３と副ホイール１３とは、主ホイール２３の３時前後の位置の凹部２５に副ホイール１３の凹部１５からパチンコ玉９９を受け渡すように設置することも可能である。主ホイール２３と副ホイール１３をこのように設置すると、副ホイール１３がパチンコ玉９９を整列機能部１から受け取って主ホイール２３に渡すまでの距離（角度）が拡がるので、主ホイール２３の凹部２５に受け渡すまでにパチンコ玉９９が移動して副ホイール１３の凹部１５の中心位置に保持され易くなると云った効果がある。
【００３２】
【発明の効果】
以上説明したように、本発明はパチンコ玉を整列させる整列機能部・副ホイール・主ホイール・パチンコ玉を揚上させる揚上機能部が上流側から下流側に順次設置されて構成されるパチンコ玉揚上装置において、
【００３３】
主ホイールと副ホイールとは、それぞれパチンコ玉を保持するための円弧状の凹部を歯車状に複数備えて鉛直面内で同期して回転可能に設置されると共に、副ホイールの円弧状凹部から主ホイールの円弧状凹部にパチンコ玉が受け渡し可能に互いの円弧状凹部を対峙させて設置し、揚上機能部は主ホイールの上昇回転中の円弧状凹部からパチンコ玉を受け取ることができるように、上昇回転側円弧状凹部にそのパチンコ玉の通路を対峙させて設置し、且つ、副ホイールの少なくとも円弧状凹部を有する円周部を軟質部材によって形成するようにしたので、
【００３４】
副ホイールの凹部から主ホイールの凹部にパチンコ玉を受け渡す際に、パチンコ玉が主ホイールの山部と副ホイールの山部の間に入り込んでも、比較的容易に変形する合成ゴムなどの軟質部材によって形成された副ホイールの円周部分が変形してパチンコ玉が逃げ、この間に主ホイールの凹部が回転してそれぞれの凹部の中心にパチンコ玉が保持される。このため、パチンコ玉が主ホイールの山部と副ホイールの山部との間に完全に咬み込まれて装置の回転が停止するなどと云った不都合を引き起こすことがない。
【００３５】
また、前記の構成において、整列機能部が整列供給するパチンコ玉の中心に臨む副ホイールの部位それぞれに、パチンコ玉の直径未満の幅の凹陥部を設置すると共に、凹陥部それぞれの中心に主ホイールの円弧状凹部が対峙するように設置し、且つ、主ホイールの円弧状凹部下方から副ホイールの凹陥部に臨む脱落防止部材を設置するようにしたものでは、副ホイールと整列機能部、副ホイールと主ホイールとを接近して設置することができるので、装置の小型化が図れる。
【００３６】
また、前記の構成において、整列機能部を、下流側程起立量が大きくなるようにパチンコ玉１個分の間隔を有して列設された断面が三角形状の複数本の整列ガイドと、底面との離間距離が最小時でもパチンコ玉１個分より離間し、最大時でもパチンコ玉２段重ね分より接近するように設置されて、パチンコ玉の流れ方向と逆方向に回転する角ホイールとから構成するようにしたものでは、
【００３７】
玉貯溜部からランダムに供給されるパチンコ玉が、次第に起立量が大きくなる複数のガイドにより整列されると共に、重なり合ったパチンコ玉は角ホイールの複数の膨出部により効果的に上流側に送り返されて一段に均されるので、下流の副ホイールには１段複数列に整列されたパチンコ玉が供給される。
【００３８】
また、副ホイールの内部に磁石を設けるように構成したものでは、副ホイールの凹部に受け取られたパチンコ玉が、副ホイール内の磁石により中心側に引き付けられて凹部の中央に寄るので、副ホイールの凹部から主ホイールの凹部に受け渡す際のパチンコ玉の咬み込み現象をなくす効果が大きい。
【図面の簡単な説明】
【図１】一実施形態を示す説明図である。
【図２】一実施形態をパチンコ玉の流れ方向に展開して示す説明図である。
【図３】一実施形態の要部を示す説明図である。
【図４】本発明の利用形態を示す説明図である。
【図５】変形実施の形態を示す説明図である。
【図６】従来技術を示す説明図である。
【符号の説明】
１  整列機能部
３  受入口
５  案内板
５ａ  受け渡し先端
７  整列ガイド
９  抑え部材
１１  角ホイール
１３  副ホイール
１５  凹部
１７  山部
１９  玉受け部材
２１  軸部材
２１Ａ  露出部
２３  主ホイール
２５  凹部
２７  山部
２９  隔壁
３１Ａ・３１Ｂ・３１Ｃ  落下防止部材
３２  揚上ガイド
３３  揚上機能部
３５  通路
３７  上部配管
３９  回転軸
４１  中間ギヤ
４３  電動モータ
４５  モータ回転軸
４７  ギヤ
４９  ギヤ
５１  回転軸
５３  ギヤ
５５  回転軸
５７  ギヤ
５９  永久磁石
９９  パチンコ玉
１００  パチンコ玉揚上装置
２００  パチンコ島
２０１  玉貯溜部
２０２  パチンコ機
２０３  玉ホッパ
【図１】
0003902804.tif 000002
【図２】
0003902804.tif 000003
【図３】
0003902804.tif 000004
【図４】
0003902804.tif 000005
【図５】
0003902804.tif 000006
【図６】
0003902804.tif 000007